(57)【要約】【課題】低コスト且つ簡便に基板を支持部材に着脱することができる遊技機を提供する。【解決手段】パチンコ機２において、中継基板４０を装着する枠部材４２を支持部材１１に設け、枠部材４２に装着された中継基板４０を保持する保持位置と、中継基板４０が枠部材４２に保持されている状態を解除する解除位置とに変位自在な保持部４７を支持部材１１に設ける。さらに、保持部４７を、可撓性を有する係止爪４５及び狭持突起４６で構成する。【選択図】        図６
2004357921.tif 000002
【特許請求の範囲】
【請求項１】
遊技を行う際に作動する制御手段を内部に収容するケースと、前記ケースを支持する支持部材と、前記支持部材に支持されるとともに前記ケースを支持する受支持部材とを備えた遊技機において、
前記支持部材は、前記ケースと前記支持部材との間であって前記制御手段と電気的に接続される基板が装着される枠部材と、前記枠部材に前記基板を保持する保持位置と、前記基板の保持状態を解除する解除位置とに変位自在な保持部を備えたことを特徴とする遊技機。
【請求項２】
前記保持部は、前記基板の縁部を係止する係止爪を備えたことを特徴とする請求項１記載の遊技機。
【請求項３】
前記係止爪は、可撓性を有することを特徴とする請求項２記載の遊技機。
【請求項４】
前記係止爪は、その先端部で且つ前記基板の縁部を係止する側の面が、先端に向かうにつれて次第に前記係止爪の肉厚が減少するように傾斜されていることを特徴とする請求項２または請求項３記載の遊技機。
【請求項５】
前記保持部は、前記枠部材とともに、前記基板の縁部を狭持する狭持部材を備えたことを特徴とする請求項１〜４のいずれか１つに記載の遊技機。
【請求項６】
前記枠部材に前記基板が保持されているとき、前記枠部材の１方の開口を前記支持部材が塞ぎ、他方の開口を前記基板が塞ぐことを特徴とする請求項１〜５のいずれか１つに記載の遊技機。
【発明の詳細な説明】
【０００１】
【発明の属する技術分野】
本発明は、パチンコ店等の遊技場に設置して使用されるパチンコ機等の遊技機に関するものである。
【０００２】
【従来の技術】
遊技場に設置されるパチンコ機やスロットマシン等の遊技機は、遊技盤や本体枠に、遊技媒体の供給に基づいて作動するランプや音声発生装置などの様々な装置及びこれら装置を制御する制御装置を備えており、遊技者が遊技を行う際にこれらが作動することによって遊技を興趣に溢れたものとしている。また、近年では、リール表示装置または液晶画像表示装置等の図柄表示装置を備えて遊技に用いているものも多い。これらの装置は遊技機の内部に配設された制御装置によって制御されている。
【０００３】
これらの制御装置は通常、それぞれケース内に収容されて電気的保安性が保たれている。そして、これらケースは、遊技機本体内に設けられた支持部材に装着されたり、支持部材に支持された受支持部材に装着されていることが多い。ケースが受支持部材に支持されている場合、該ケースと支持部材との間を利用して、制御装置間を電気的に接続するための中継機能を有する基板等を支持部材に装着されるようになっていることが多い。このようにすることで、遊技機内の空間を有効に利用することができる。
【０００４】
【発明が解決しようとする課題】
しかしながら、上記のような遊技機であっては、ケースと支持部材との間を利用して、制御装置間を電気的に接続するための中継機能を有する基板等を支持部材に装着する方法としては、ネジ止めやラッチ機能を有するピンによる装着方法などが採用されており、これら別部品を用いることによるコストの増加や、製造時及びリサイクル時においてケースを支持部材に着脱する際の手間が掛かるという欠点があった。
【０００５】
本発明は、上記従来技術の問題を解決するためになされたものであり、低コストで且つ簡便に基板を支持部材に着脱させることができる遊技機を提供することを目的とする。
【０００６】
【課題を解決するための手段】
上記目的を達成するために、本発明の遊技機は、遊技を行う際に作動する制御手段を内部に収容するケースと、前記ケースを支持する支持部材と、前記支持部材に支持されるとともに前記ケースを支持する受支持部材とを備えたものであって、前記支持部材は、前記ケースと前記支持部材との間であって前記制御手段と電気的に接続される基板が装着される枠部材と、前記枠部材に前記基板を保持する保持位置と、前記基板の保持状態を解除する解除位置とに変位自在な保持部を備えたことを特徴とするものである。
これにより、ネジ等の別部品を用いずに基板を支持部材に装着することができ、また、ドライバー等の特別な工具を用いずに基板を支持部材から取り外すことができるようになり、低コストで且つ簡便に基板を支持部材に着脱させることができる遊技機を提供することができる。
【０００７】
また、前記保持部は、前記基板の縁部を係止する係止爪を備えることが好適である。
これにより、基盤の縁部を係止爪に係止させるだけで容易に保持部が基板を保持することができる。
【０００８】
また、前記係止爪は、可撓性を有することが好適である。
これにより、係止爪が撓むことによって保持位置より解除位置に変位し、撓んだ状態から復帰することで解除位置より保持位置に変位することができるようになり、保持部を変位させるための機構等を別途に設ける必要が無いので、構成を単純化でき、保持部の製造コストを低減することができる。
【０００９】
また、前記係止爪は、その先端部で且つ前記基板の縁部を係止する側の面が、先端に向かうにつれて次第に前記係止爪の肉厚が減少するように傾斜されていることが好適である。
これにより、基板を枠部材に装着するときに、傾斜されている面を基板で押圧するだけで係止爪を解除位置に変位させることができ、基板の装着を容易とすることができる。
【００１０】
また、前記保持部は、前記枠部材とともに、前記基板の縁部を狭持する狭持部材を備えることが好適である。
これにより、基板の縁部を枠部材と狭持部材とで狭持するだけで容易に保持部が基板を保持することができる。
【００１１】
また、前記枠部材に前記基板が保持されているとき、前記枠部材の１方の開口を前記支持部材が塞ぎ、他方の開口を前記基板が塞ぐことが好適である。
これにより、枠部材の内側が閉塞された空間となり、基板の該空間内にある部分に対する電気的保安性を保つことができ、したがって、基板用のケースを別途用意する必要がなく、遊技機内の部品点数や、遊技機内におけるケース等の設置場所を節約することができる。
【００１２】
【発明の実施の形態】
図１に本発明を用いた遊技機の実施の形態であるパチンコ機の外観を示す。パチンコ機２の本体枠３の内部には遊技盤４が配設されており、遊技盤４の前面には開口扉（前面枠）５が開閉自在に設けられている。この開口扉５の中央には開口５ａが形成されており、この開口５ａは開口扉５の裏側に取り付けられるガラス枠６（図２参照）のガラス板７により遮蔽されている。また、パチンコ機２には、遊技を行う際に作動されるランプ３０（図３に図示）、音声発生装置３１（図３に図示）などの各種装置が適宜の位置に配設されている。開口扉５の下方には、遊技球（遊技媒体）をパチンコ機２に供給するための供給皿８及び遊技球の打ち出し強さを調節する操作ハンドル９が設けられている。遊技者が供給皿８に遊技球を投入すると、内部に設けられた通路により遊技球は発射装置へと誘導される。そして、操作ハンドル９を操作して遊技盤４の後述する遊技領域４ａ（図２に図示）に遊技球を打ち出す。なお、開口扉５が閉じている状態である場合には、遊技者や遊技場の作業者等は、ガラス板７を介して遊技盤４の遊技領域４ａ及び遊技領域４ａを流下していく遊技球を見ることはできるが、遊技盤４にはもちろんのこと、本体枠３の内部に備えられた電子機器にも触れることはできないようになっている。
【００１３】
図２に示すように、遊技盤４の背面には、支持部材１１が遊技盤４に対して着脱自在に取り付けられている。支持部材１１には、後述する主制御装置２０（図３に図示）等の、遊技を行う際に作動される制御装置（制御手段）をそれぞれ収容した複数のケースと、後述する受支持部材４４（図４に図示）とが装着されて支持されている。また、制御装置と電気的に接続される中継基板４０（図４に図示）も支持部材１１に装着されている。
【００１４】
遊技盤４上にはガイドレール１２に囲まれた遊技領域４ａが形成され、始動入賞口１３、通常入賞口１４、アタッカ１５等の所定入賞口、及びアウト口１６、図柄表示装置１７が配設されている。また、遊技領域４ａには、図示を省略した釘、風車などが設けられている。これらの構造物は公知であるので説明は省略する。また、開口扉５を開放することで、遊技場の作業者等がこれらの構造物の調整などを行うことができるようになる。なお、遊技盤４の本体枠３への取付方法については図示はしないが、例えばネジ止めにより本体枠３に組み付けたり、本体枠３又は遊技盤４の少なくともいずれか一方に所定の保持部材を設けて遊技盤４を本体枠３の所定位置に保持したり等、パチンコ機２の構成等を考慮して、適宜本体枠３に組み付けるようにすれば良い。
【００１５】
図３に示すように、パチンコ機２の作動は基本的に主制御装置２０におけるマイクロコンピュータによって管制される。主制御装置２０は、ＣＰＵ２０ａ及びＲＯＭ２０ｂ及びＲＡＭ２０ｃから構成されている。ＣＰＵ２０ａは、ＲＯＭ２０ｂに記憶されている遊技制御プログラムに基づいてパチンコ機の遊技状態を制御する。ＲＯＭ２０ｂには、遊技制御プログラム及び乱数生成処理プログラム及び乱数テーブルなどが所定の領域に格納されており、これらはＣＰＵ２０ａなどによって適宜用いられる。ＲＡＭ２０ｃは、記憶手段としてワーキングエリアとなっており、遊技履歴や、遊技媒体の供給に基づいて行われる遊技ごとに利用されるデータなどの一時的記憶や書き換えなどに用いられる。
【００１６】
始動入賞口１３には、始動入賞口１３に入賞した遊技球を検知する始動入賞球センサ２１が設けられ、通常入賞口１４には、通常入賞口１４に入賞した遊技球を検知する通常入賞球センサ２２が設けられ、アタッカ１５には、アタッカ１５内部に入賞した遊技球を検知するアタッカ入賞球センサ２３が設けられている。なお、始動入賞口１３または通常入賞口１４またはアタッカ１５に遊技球が入賞すると、入賞した遊技球は遊技盤４の裏側で回収されるとともに、遊技利益となる所定数の遊技球が払出装置３２にて賞球として払い出される。
【００１７】
主制御装置２０には、入力インターフェイス２４を介して、始動入賞球検知センサ２１及び通常入賞球検知センサ２２及びアタッカ入賞球検知センサ２３からの信号が入力される。また、図柄制御部２６及びランプ制御部２７及び音声制御部２８及び払出制御部２９に対して、主制御装置２０にて制御処理された情報  （命令）信号が出力インターフェイス２５を介して出力される。
【００１８】
図柄制御部２６は、主制御装置２０からの出力信号を受けて、図柄表示装置１７における表示制御を行う。
【００１９】
ランプ制御部２７は、主制御装置２０からの出力信号を受けて、開口扉５や遊技盤４に設けられたランプ３０の点灯の制御を行う。
【００２０】
音声制御部２８は、主制御装置２０からの出力信号を受けて、本体枠３内に設けられた音声発生装置３１から発する音声の出力制御を行う。
【００２１】
払出制御部２９は、主制御装置２０からの出力信号を受けて、払出装置３２による賞球の払い出しの制御を行う。また、払出制御部２９は、発射装置３３による遊技球の打ち出しの制御を行っている発射制御部３４に対して、エラー発生時などに発射停止信号を送って遊技球の打ち出しを停止させる。
【００２２】
ランプ制御部２７と音声制御部２８はランプ＆音声制御装置３５である同一の基板上に設けられている。
【００２３】
支持部材１１に中継基盤４０が装着されている状態の外観を図４に示す。中継基盤４０は、入力インターフェイス２４及び出力インターフェイス２５と、遊技を行う際に作動される各種制御装置とのそれぞれに電気的に接続されたハーネスが接続され、それらハーネスを中継する基板である。そして、中継基板４０は、主制御装置２０が収容された主制御装置収容ケース４１と支持部材１１との間に設けられた枠部材４２に装着されている。また、主制御装置収容ケース４１は、支持部材１１に支持されている収容ケース４３に設けられた軸４３ａ、４３ｂ、４３ｃに回動自在となるよう取り付けられており、受支持部材４４によって支持されている。収容ケース４３は、ランプ＆音声制御装置３５を収容するケースである。
【００２４】
支持部材１１の、中継基板４０が装着された部分を図５に示す。支持部材１１には、矩形状の断面を持つ枠部材４２が突設されている。枠部材４２に中継基板４０が装着されたとき、中継基板４０の図５における左側面、及び右側面、及び下側面、及び支持部材１１側の面の上部が枠部材４２に当接する。また、中継基板４０の支持部材１１側の面に当接して中継基板４０を支持する複数の当接片４８が、互いに間隔をおいて枠部材４２の内周面に突設されている。枠部材４２の外側の上方近傍には係止爪４５が設けられ、また、枠部材４２の下部端面であって係止爪４５に対向する位置に、狭持突起（狭持部材）４６が設けられている。これら係止爪４５及び狭持突起４６は、後述するように保持部４７を構成する。また、枠部材４２の図５における前後の開口のうち、後側の開口は支持部材１１によって塞がれており、前側の開口は、枠部材４２に装着される中継基板４０によって塞がれる。なお、狭持部材の形態は狭持突起４６に限られず、例えば、板状である部材や棒状である部材とするなど、適宜の形態を用いて良い。
【００２５】
中継基板４０が枠部材４２に装着されている状態を図６に示す。係止爪４５は可撓性を有する樹脂材で形成されており、係止爪４５に設けられた板部４５ａが撓むようなっている。即ち、板部４５ａが撓むことで、係止爪４５が中継基板４０を保持する保持位置（図中、実線で示す）より、中継基板４０の保持状態を解除する解除位置（図中、二点鎖線で示す）に係止爪４５は変位する。そして、板部４５ａが撓んだ状態から復帰することで、係止爪４５は解除位置より保持位置に変位する。係止爪４５の中継基板４０の縁部を係止する部位より先端側である爪部４５ｂの、該縁部を係止する側となる部位には、先端に向かうにつれて次第に係止爪４５の肉厚が減少するような傾斜面４５ｃが設けられている。傾斜面４５ｃは、枠部材４２に装着する中継基板４０の上縁部によって押圧され、該押圧の付勢の方向を、係止爪４５を保持位置より解除位置へ変位させる方向へと変化させる。なお、係止爪４５の材質は樹脂材に限られず、係止爪４５が可撓性を有するように、金属など適宜の材質とすれば良い。
【００２６】
狭持突起４６は、可撓性を有する樹脂材で形成された略直方体であり、枠部材４２に装着された中継基板４０に沿って枠部材４２の下部端面から上方に突出するように設けられている。狭持突起４６は、撓むことで、狭持突起４６が中継基板４０を保持する保持位置（図中、実線で示す）より、中継基板４０の保持状態を解除する解除位置（図中、二点鎖線で示す）に変位する。そして、撓んだ状態から復帰することで、狭持突起４６は解除位置より保持位置に変位する。また、狭持突起４６の、枠部材４２の下部端面から突出している部分と、当接片４８との間に、中継基板４０の下縁部が狭持される間隙が形成されている。狭持突起４６が撓むので、中継基板４０の下縁部をその間隙に差し込むことが容易となっている。なお、狭持突起４６の材質は樹脂材に限られず、狭持突起４６が可撓性を有するように、金属など適宜の材質とすれば良い。
【００２７】
中継基板４０が枠部材４２に装着されているとき、枠部材４２の１方の開口を支持部材１１が塞ぎ、他方の開口を中継基板４０が塞ぐ。これによって枠部材４２の内側に閉塞された空間５０が形成され、中継基板４０の、空間５０内にある部分は電気的保安性が保たれる。なお、枠部材４２の、中継基板４０の電気的保安性を損なわない適宜の位置に隙間を設けても良い。隙間を設けることで、空間５０の熱が枠部材４２の外部に排出されるようになり、枠部材４２または中継基盤４０または支持部材１１における不要な温度上昇を防止することができる。
【００２８】
以上のように構成されたパチンコ機の作用について、中継基板４０を枠部材４２に着脱する手順を図６を用いて説明する。中継基板４０を枠部材４２に装着する際には、中継基板４０の下縁部を狭持突起４６と当接片４８との間隙に差し込み、中継基板４０の上縁部を枠部材４２に向かって移動させて、中継基板４０の上縁部で係止爪４５の傾斜面４５ｃを押圧する。傾斜面４５ｃが中継基板４０によって押圧されると板部４５ａが上方に撓み、係止爪４５は、保持位置より解除位置へ変位する。そして、中継基板４０が枠部材４２に装着されると、傾斜面４５ｃが中継基板４０の上縁部による押圧から開放されて、係止爪４５は解除位置より保持位置へ復帰して中継基板４０の上縁部を係止する。中継基板４０の上縁部が爪部４５ｂと枠部材４２の上部とに狭持され、中継基板４０の下縁部が狭持突起４６と当接片４８とに狭持されることにより、中継基板４０は枠部材４２に保持される。
【００２９】
中継基板４０を枠部材４２より取り外す際には、先ず、係止爪４５を作業者の指などを用いて上方に押圧して、保持位置から解除位置に変位させる。以後、上述した装着の手順を逆に行うことによって、中継基板４０を枠部材４２から取り外すことができる。
【００３０】
なお、上記実施形態では、保持部４７は４つの係止爪４５と４つの狭持突起４６とで構成されていたが、中継基板４０を保持するものであれば、その個数や形状などは適宜の構成を用いて良い。
【００３１】
【発明の効果】
以上のように、本発明によれば、支持部材は、ケースと支持部材との間であって制御手段と電気的に接続される基板が装着される枠部材と、枠部材に基板を保持する保持位置と、基板の保持状態を解除する解除位置とに変位自在な保持部を備えたので、ネジ等の別部品を用いずに基板を支持部材に取り付けることができ、また、ドライバー等の特別な工具を用いずに基板を支持部材から取り外すことができるようになり、低コストで且つ簡便に基板を支持部材に着脱させることができる遊技機を提供することができる。
【００３２】
また、保持部は、基板の縁部を係止する係止爪を備えたので、基盤の縁部を係止爪に係止させるだけで容易に保持部が基板を保持することができる。
【００３３】
また、係止爪は、可撓性を有するので、撓むことによって保持位置より解除位置に変位し、撓んだ状態から復帰することで解除位置より保持位置に変位することができるようになり、保持部を変位させるための機構等を別途に設ける必要が無いので、構成を単純化でき、保持部の製造コストを低減することができる。
【００３４】
また、係止爪は、その先端部で且つ基板の縁部を係止する側の面が、先端に向かうにつれて次第に係止爪の肉厚が減少するように傾斜されているので、基板を枠部材に装着するときに、傾斜されている面を基板で押圧するだけで係止爪を解除位置に変位させることができ、基板の取り付けを容易とすることができる。
【００３５】
また、保持部は、枠部材とともに、基板の縁部を狭持する狭持部材を備えたので、基板の縁部を枠部材と狭持部材とで狭持するだけで容易に保持部が基板を保持することができる。
【００３６】
また、枠部材に基板が保持されているとき、枠部材の１方の開口を支持部材が塞ぎ、他方の開口を基板が塞ぐので、枠部材の内側が閉塞された空間となり、基板の該空間内にある部分に対する電気的保安性を保つことができ、したがって、基板用のケースを別途用意する必要がなく、遊技機内の部品点数や、遊技機内におけるケース等の設置場所を節約することができる。
【図面の簡単な説明】
【図１】本本発明を実施したパチンコ機の外観を示す斜視図である。
【図２】本体枠と遊技盤とを分解して示す斜視図である。
【図３】図１に示したパチンコ機内部の電気的構成を示す機能ブロック図である。
【図４】中継基板が支持部材に装着された状態を示す斜視図である。
【図５】中継基板が装着される支持部材の部分を示す斜視図である。
【図６】中継基板が枠部材に装着されている状態を示す説明図である。
【符号の説明】
２  パチンコ機（遊技機）
３  本体枠
４  遊技盤
１１  支持部材
２０  主制御装置（制御手段）
４０  中継基板（基板）
４１  主制御装置収容ケース
４２  枠部材
４４  受支持部材
４５  係止爪
４５ｃ  傾斜面
４６  狭持突起（狭持部材）
４７  保持部
４８  当接片
５０  空間
【図１】
2004357921.tif 000003
【図２】
2004357921.tif 000004
【図３】
2004357921.tif 000005
【図４】
2004357921.tif 000006
【図５】
2004357921.tif 000007
【図６】
2004357921.tif 000008